(57)【要約】      （修正有）【課題】引戸を任意開扉位置に確実に停止できる装置を提供する。【解決手段】支持フレームと、制動ローラ２２と、制動部材２４と、バネ部材２９とを有する。引戸３が閉扉位置から開扉するときには引戸３とともに開扉方向Ａに変位される制動部材２４の閉扉側傾斜部分２４−３が制動ローラ２２を狭窄部分よりも開扉側でレール４との間に挟むように係合することにより閉扉側に変位されレールから離れるように変位されて狭窄部分が制動ローラ２２の弾性ローラを開扉方向に通過し、引戸３が開扉位置から閉扉するときには開扉方向に変位される制動部材２４の開扉側傾斜部分２４−４が制動ローラ２２を狭窄部分よりも閉扉側でレールとの間に挟むように係合し、制動ローラから閉扉力より大きい制動力を受けるようになっている。【選択図】図４
2016075142.tif 000002
【特許請求の範囲】
【請求項１】
開扉方向に動かされることに伴い閉扉力がかけられるようにした引戸を任意開扉位置に停止するための引戸任意開扉位置停止装置において、該引戸を任意開扉位置に停止するために該引戸に該閉扉力に抗する制動力を加える閉扉制動装置（１４）を備え、該閉扉制動装置が、
引戸（３）に取り付けられて該引戸（３）と共に開扉・閉扉方向（Ａ、Ｂ）に変位される支持フレーム（２０）と、
該支持フレーム（２０）に支持され、該支持フレーム（２０）に対して開扉・閉扉方向で相対的に変位可能とされた弾性ローラ（２２−２）であって、戸枠（２）に固定され開扉・閉扉方向で延在するレール（４）上を転動しながら該支持フレーム（２０）に対して開扉・閉扉方向で変位可能とされた弾性ローラ（２２−２）を含む制動ローラ（２２）と、
該支持フレーム（２０）に取り付けられた制動部材（２４）であって、該レール（４）との間に、該レール（４）上を回転しながら該支持フレーム（２０）に対して相対的に開扉・閉扉方向で変位する制動ローラ（２２）を通すローラ通路（２６）を画定する制動面（２４−１）を有し、該制動面（２４−１）が該ローラ通路（２６）の該レールとの間の間隔を狭くする狭窄部分（２４−２）を有し、該制動面が該レール（４）から離れる方向に変位するのを阻止する開扉側位置（図３、図５）と、該開扉側位置よりも閉扉側に変位して該制動面（２４−１）が該レール（４）から離れるのを許容する閉扉側位置（図４）との間で変位可能とされた制動部材（２４）と、
該支持フレーム（２０）に取り付けられて該開扉側位置から該閉扉側位置に変位する該制動部材（２４）に係合して該制動部材（２４）を該開扉側位置に向けて付勢するバネ部材（２９）と
を有し、
該制動ローラ（２２）は、該引戸が閉扉位置（図５）にあるときに該開扉側位置にある該制動部材（２４）の該制動面（２４−１）の該狭窄部分（２４−２）よりも開扉側にあり、該引戸（３）が開扉位置（図３）にあるときは該開扉側位置にある該制動部材（２４）の該制動面（２４−１）の該狭窄部分（２４−２）よりも閉扉側にあり、引戸（３）が閉扉位置（図５）から開扉位置（図３）に変位するときには該引戸（３）とともに開扉方向に変位される該制動部材（２４）の該制動面（２４−１）が該制動ローラ（２２）を該狭窄部分（２４−２）よりも開扉側で該レールとの間に挟むように係合することにより該閉扉側位置に変位され且つ該レールから離れるように変位されて該狭窄部分（２４−２）が該制動ローラ（２２）の該弾性ローラ（２２−２）を開扉方向に通過し、該引戸（３）が開扉位置（図３）から閉扉位置（図５）に変位するときには該引戸（３）とともに開扉方向に変位される該制動部材（２４）の該制動面（２４−１）が該制動ローラ（２２）を該狭窄部分（２４−２）よりも閉扉側で該レールとの間に挟むように係合し、該制動ローラから該閉扉力より大きい制動力を受けるようになっている、引戸任意開扉位置停止装置。
【請求項２】
該制動面（２４−１）が、該狭窄部分（２４−２）から閉扉方向（Ｂ）側に延びるに従って該レール（４）との間の間隔を次第に大きくする閉扉側傾斜部分（２４−４）及び該狭窄部分（２４−２）から開扉方向（Ａ）側に延びるに従って同間隔を次第に大きくする開扉側傾斜部分（２４−３）を有する請求項１に記載の引戸任意開扉位置停止装置。
【請求項３】
該制動ローラの該弾性ローラは該開扉・閉扉方向に直交して水平に延びる回転シャフト（２２−１）を備え、
該支持フレーム（２０）は開扉・閉扉方向に直交する断面で見て逆Ｕ字状とされ、一対の対向する側壁（２０−１）を有し、各側壁（２０−１）は該回転シャフト（２２−１）の端部を該開扉・閉扉方向で変位可能に受け入れる該回転シャフト収納溝（２０−２）を有するようにされている請求項１又は２に記載の引戸任意開扉位置停止装置。
【請求項４】
該制動部材（２４）は、該支持フレーム（２０）の対向する該側壁（２０−１）の間に設けられ、一対の逆Ｌ字状の開口（２４−５）が開扉・閉扉方向で間隔を開けて設けられており、各開口（２４−５）は開扉・閉扉方向に延びて閉扉側部分（２４−５Ｂ）と開扉側部分（２４−５Ａ）とを有し、該開扉側部分（２４−５Ａ）には下方に延びる延長部分（２４−５Ｃ）が設けられ、
該支持フレーム（２０）には該対向する側壁（２０−１）間を水平に延び、それぞれ該逆Ｌ字状の開口（２４−５）を貫通する一対のピン（３０）が設けられており、
該ピンは、それぞれ、該制動部材（２４）が該開扉側位置（図３、図５）にあるときに該開口（２４−５）の閉扉側部分（２４−５Ｂ）内にあり該開口の閉扉側端部（２４−６）に隣接し、該閉扉側位置（図４）にあるときは該開口の開扉側部分（２４−５Ａ）内にあり該開口の開扉側端部（２４―７）に隣接するようにされている請求項３のいずれか一項に記載の引戸任意開扉位置停止装置。
【請求項５】
該閉扉制動装置が、該制動部材の該狭窄部が該レールから離されて、開扉された該引戸が該閉扉力により閉扉方向に変位されるのを阻止できない作動不能位置に変位可能とされており、
当該引戸任意開扉位置停止装置が、更に、該閉扉制動装置に隣接して該引戸に取り付けられて、該閉扉制動装置を該作動不能位置に変位させて該閉扉制動装置の制動作用を解除する制動解除装置を備える引戸任意開扉位置停止装置。
【発明の詳細な説明】
【技術分野】
【０００１】
本発明は、引戸を任意の開扉位置に保持するための引戸任意開扉位置停止装置に関する。
【背景技術】
【０００２】
引戸を開扉したときに自動的に閉扉されるようにした引戸装置が知られている。また、そのような引戸装置において、引戸を任意の開扉位置に保持するようにするために閉扉方向に動こうとする引戸を制動して引戸を任意の開扉位置に保持する引戸任意開扉位置停止装置を備えた引戸装置も知られている（例えば、特許文献１及び２参照）。
【０００３】
これに対して、火災発生時において、上記引戸任意開扉位置停止装置の制動機能を解除して、引戸が自動的に閉扉されるようにした引戸装置も知られている（例えば特許文献３及び４参照）。
【先行技術文献】
【特許文献】
【０００４】
【特許文献１】特許第２７４１６７０号
【特許文献２】特開２０１０-２４８８３０号
【特許文献３】特許第２９３７８２８号
【特許文献４】特許第４８００８５２号
【発明の概要】
【発明が解決しようとする課題】
【０００５】
特許文献１及び２に開示された引戸の引戸任意開扉位置停止装置は、自動的に閉じようとする引戸に対して一定の制動力をかけてこれを停止させるものであり、引戸に該制動力以上の閉扉力をかけることによりそれを閉じることができるようになっている。特許文献１に開示された引戸任意開扉位置停止装置は、引戸を開扉するときも閉扉するときも同じ制動力が引戸に加えられるようになっているため、開扉操作に大きな力が必要となるのに対して、特許文献２は開扉操作のときに必要とされる開扉力を小さくし、開扉された引戸が閉扉方向で動くときには大きな制動力がかかるようにする改良が行われている。
【０００６】
特許文献３に開示された引戸任意開扉位置停止装置は、引戸（８：特許文献３における参照番号）に枢動可能取り付けられた弾性ストッパ片（７２）が戸枠に水平に固定されたレール（１１）に係合し、制動力を与えるものであり、制動力解除の際には弾性ストッパ片を支持する支持金具（７１）を回動することにより、該弾性ストッパ片（７２）をレール（１１）から離すようにしたものであるが、特許文献１に開示された引戸任意開扉位置停止装置と同様に、通常の開扉及び閉扉においては、引戸に対して同じ制動力がかかるようになっている。また、平常時には支持金具（７１）に係合して、該支持金具を引戸に対して静止位置に保持すると共に、火災時には支持金具との係合を解除して、該支持金具が上記のように回動するのを許容する退避手段（７８）が設けられているが、この退避手段（７８）は、支持金具と係合するストッパ（７６）を先端に備えるプランジャ（７７）と、該プランジャを火災発生時には引き込めてストッパを支持金具から外すソレノイド装置（ソレノイド７５）からなるものであり、支持金具を回動しようとするバネ（７４）の付勢力がプランジャ（７７）に当該プランジャを横断する方向で掛かるために、プランジャを引き込めるための力はかなり大きいものが必要となり当該ソレノイド装置はかなり大きなものとしなければならない。
【０００７】
特許文献４の引戸任意開扉位置停止装置は、戸枠に取り付けられる制動部材（保持部材３７）を有し、該制動部材が引戸に水平方向で固定されるレール（保持レール２０）と係合し、開扉時には開扉に対する実質的な抵抗力は加えず、閉扉時に所要の制動力を加えるようになっており、火災時には警報信号に応答して、該制動部材（３７）にリンクしている回動アーム（３６）を係止しているラッチ部材（レバー部材４３）が外されて、制動部材（３７）がバネ力により回動されてレール（２０）に閉扉方向での力を加え、引戸が閉扉方向で動かされるようにしている。この引戸任意開扉位置停止装置は、火災時に引戸を閉扉させるための機構が上記のようなものであり、構造が複雑になる。
【０００８】
本発明は、このような点に鑑み、開扉した引戸に対する制動力を解除し自動的な開扉を可能とする構造が簡単な引戸任意開扉位置停止装置を提供することを目的とする。また、そのような引戸任意開扉位置停止装置において、開扉するときは比較的小さな力で開扉することができ、閉扉時には確実に引戸を制動して開扉位置に保持することが新たな構造の制動装置を備えた引戸任意開扉位置停止装置を提供することを目的とする。
【課題を解決するための手段】
【０００９】
すなわち、本発明は、
開扉方向に動かされることに伴い閉扉力がかけられるようにした引戸を任意開扉位置に停止するための引戸任意開扉位置停止装置（以下に述べる実施形態の説明では参照番号１０で示す。以下、同様の参照番号を付す。）において、該引戸を任意開扉位置に停止するために該引戸に該閉扉力に抗する制動力を加える閉扉制動装置（１４）を備え、該閉扉制動装置が、
引戸（３）に取り付けられて該引戸（３）と共に開扉・閉扉方向（Ａ、Ｂ）に変位される支持フレーム（２０）と、
該支持フレーム（２０）に支持され、該支持フレーム（２０）に対して開扉・閉扉方向で相対的に変位可能とされた弾性ローラ（２２−２）であって、戸枠（２）に固定され開扉・閉扉方向で延在するレール（４）上を転動しながら該支持フレーム（２０）に対して開扉・閉扉方向で変位可能とされた弾性ローラ（２２−２）を含む制動ローラ（２２）と、
該支持フレーム（２０）に取り付けられた制動部材（２４）であって、該レール（４）との間に、該レール（４）上を回転しながら該支持フレーム（２０）に対して相対的に開扉・閉扉方向で変位する制動ローラ（２２）を通すローラ通路（２６）を画定する制動面（２４−１）を有し、該制動面（２４−１）が該ローラ通路（２６）の該レールとの間の間隔を狭くする狭窄部分（２４−２）を有し、該制動面が該レール（４）から離れる方向に変位するのを阻止する開扉側位置（図３、図５）と、該開扉側位置よりも閉扉側に変位して該制動面（２４−１）が該レール（４）から離れるのを許容する閉扉側位置（図４）との間で変位可能とされた制動部材（２４）と、
該支持フレーム（２０）に取り付けられて該開扉側位置から該閉扉側位置に変位する該制動部材（２４）に係合して該制動部材（２４）を該開扉側位置に向けて付勢するバネ部材（２９）と
を有し、
該制動ローラ（２２）は、該引戸が閉扉位置（図５）にあるときに該開扉側位置にある該制動部材（２４）の該制動面（２４−１）の該狭窄部分（２４−２）よりも開扉側にあり、該引戸（３）が開扉位置（図３）にあるときは該開扉側位置にある該制動部材（２４）の該制動面（２４−１）の該狭窄部分（２４−２）よりも閉扉側にあり、引戸（３）が閉扉位置（図５）から開扉位置（図３）に変位するときには該引戸（３）とともに開扉方向に変位される該制動部材（２４）の該制動面（２４−１）が該制動ローラ（２２）を該狭窄部分（２４−２）よりも開扉側で該レールとの間に挟むように係合することにより該閉扉側位置に変位され且つ該レールから離れるように変位されて該狭窄部分（２４−２）が該制動ローラ（２２）の該弾性ローラ（２２−２）を開扉方向に通過し、該引戸（３）が開扉位置（図３）から閉扉位置（図５）に変位するときには該引戸（３）とともに開扉方向に変位される該制動部材（２４）の該制動面（２４−１）が該制動ローラ（２２）を該狭窄部分（２４−２）よりも閉扉側で該レールとの間に挟むように係合し、該制動ローラから該閉扉力より大きい制動力を受けるようになっている、引戸任意開扉位置停止装置を提供する。
【００１０】
この引戸任意開扉位置停止装置では、制動部材が引戸と共に開扉及び閉扉方向に動かされて制動ローラに係合し、引戸が開扉されるときには該制動ローラとの係合によってレールから離れるように変位され、引戸が閉扉されるときにはそのような変位は生じないようにすることにより、該制動部材（従って引戸）に係る制動力が引戸を閉扉方向に動かすときよりも開扉方向に動かすときの方が小さくなるようにし、開扉をしやすくするとともに閉扉のときに生じる制動力が、開扉した引戸にかかる閉扉力よりも大きくなるようにすることにより任意開扉位置で当該引戸を停止できるようにしている。
【００１１】
制動面（２４−１）は、具体的には、狭窄部分（２４−２）から閉扉方向（Ｂ）側に延びるに従ってレール（４）との間の間隔を次第に大きくする閉扉側傾斜部分（２４−４）及び狭窄部分（２４−２）から開扉方向（Ａ）側に延びるに従って同間隔を次第に大きくする開扉側傾斜部分（２４−３）を有するようにすることができる。
【００１２】
制動ローラの弾性ローラは開扉・閉扉方向に直交して水平に延びる回転シャフト（２２−１）を備え、支持フレーム（２０）は開扉・閉扉方向に直交する断面で見て逆Ｕ字状とされ、一対の対向する側壁（２０−１）を有し、各側壁（２０−１）は回転シャフト（２２−１）の端部を開扉・閉扉方向で変位可能に受け入れる回転シャフト収納溝（２０−２）を有するようにすることができる。
【００１３】
この場合、制動部材（２４）は、支持フレーム（２０）の対向する側壁（２０−１）の間に設けられ、一対の逆Ｌ字状の開口（２４−５）が開扉・閉扉方向で間隔を開けて設けられており、各開口（２４−５）は開扉・閉扉方向に延びて閉扉側部分（２４−５Ｂ）と開扉側部分（２４−５Ａ）とを有し、該開扉側部分（２４−５Ａ）には下方に延びる延長部分（２４−５Ｃ）が設けられ、
支持フレーム（２０）には対向する側壁（２０−１）間を水平に延び、それぞれ逆Ｌ字状の開口（２４−５）を貫通する一対のピン（３０）が設けられており、
該ピンは、それぞれ、制動部材（２４）が上記開扉側位置（図３、図５）にあるときに開口（２４−５）の閉扉側部分（２４−５Ｂ）内にあり開口の閉扉側端部（２４−６）に隣接し、上記閉扉側位置（図４）にあるときは開口の開扉側部分（２４−５Ａ）内にあり開口の開扉側端部（２４―７）に隣接するようにすることができる。
【００１４】
以上の引戸任意開扉位置停止装置において、該閉扉制動装置（１４）が、制動部材（２４）の狭窄部分（２４−２）がレール（４）から離されて、開扉された引戸（３）が、該引戸にかかる閉扉力により閉扉方向に変位されるのを阻止できない作動不能位置に変位可能とされており、
当該引戸任意開扉位置停止装置が、更に、閉扉制動装置（１４）に隣接して引戸（３）に取り付けられて、閉扉制動装置（１４）を上記作動不能位置に変位させて当該閉扉制動装置（１４）の制動作用を解除する制動解除装置（１６）を備えるようにすることができる。
【００１５】
以下、本発明にかかる引戸任意位置停止装置を添付図面に基づき説明する。
【図面の簡単な説明】
【００１６】
【図１】引戸の上縁にある戸車取付部材に固定された本発明に係る引戸任意位置停止装置の正面図である。
【図２】図１の引戸任意位置停止装置を開扉方向側から見た側面図である。
【図３】図１の引戸任意開扉位置停止装置の主要要素である閉扉制動装置と制動解除装置との、引戸が開扉位置にあるときの状態を、それらの縦断側面図として示した図であり、閉扉制動装置及び制動解除装置を戸車取付部材に取り付けるための固定フレームを想像線で示してある。
【図４】引戸が閉扉位置から開扉方向に向けて動かされはじめたときの閉扉制動装置と制動解除装置とを示しており、閉扉制動装置の制動部材が制動ローラによって上方に持ち上げられている状態を示している。
【図５】引戸が閉扉位置にあるときの閉扉制動装置と制動解除装置を示しており、閉扉制動装置の制動部材が図３と同じ位置にあることを示している。
【図６】制動解除装置が作動しはじめた状態を示す図３に類似した図である。
【図７】制動解除装置により閉扉制動装置が作動不能位置とされた状態を示す図である。
【発明を実施するための形態】
【００１７】
図１及び図２において２は戸枠、３は引戸、４は戸枠に固定されたレール、５はレール上を転動する戸車、６は戸車を引戸３の上縁に取り付けるための戸車取付部材を示す。
【００１８】
本発明に係る引戸任意開扉位置停止装置１０は、戸車取付部材６にビス７によって固定される横断面が逆Ｕ字状とされた固定フレーム１２と、該固定フレーム１２の両側壁１２−１間に設定される閉扉制動装置１４及び制動解除装置１６とを有する。固定フレーム１２は、概念的には戸車取付部材６と一体で引戸の一部をなし、戸車５、閉扉制動装置１４及び制動解除装置１６を引戸３に取り付けるものであり、図３以降の図面では、戸車取付部材６及び固定フレーム１２を一体的なものとして想像線で示し、引戸任意開扉位置停止装置１０の主要要素である戸車取付部材６及び固定フレーム１２の関係を明瞭になるようにしている。
【００１９】
閉扉制動装置１４は、固定フレーム１２の両側壁１２−１にそれぞれ取り付けられて当該固定フレーム１２に対して（従って引戸３に対して）静止位置で水平に延びる第１枢軸線１８（図３）を画定するビス１８−１に枢動可能に取り付けられた逆Ｕ字状の支持フレーム２０と、支持フレーム２０によって支持されレール４上に載置される制動ローラ２２と、レール４から上方に間隔をあけて支持フレーム２０によって支持された制動部材２４とを有する。
【００２０】
制動ローラ２２は、図２に示すように、第１枢軸線に平行な（特許請求の範囲の記載における第４枢軸線に相当する）枢軸線２２−４の周りで回動可能とされた回転シャフト２２−１と、該回転シャフト２２−１の周りに取り付けられてレール４上に載置される変形可能な弾性ローラ２２−２と、該弾性ローラ２２−２を回転シャフト２２−１に固定的に取り付ける取付ローラ２２−３とを有する。回転シャフト２２−１の両端は、支持フレーム２０の一対の側壁２０−１に設けられた回転シャフト収納溝２０−２（図３）内に通されている。回転シャフト収納溝２０−２は、レール４と平行に延びるように設けられており、制動ローラ２２が支持フレーム２０に対して引戸の開扉・閉扉方向で相対的に変位可能とされている。弾性ローラ２２−２は、柔軟性を有するゴム材や合成樹脂で作られることが好ましい。
【００２１】
制動部材２４は、レール４との間に、レール４上を回転しながら支持フレーム２０に対して相対的に開扉・閉扉方向で変位する制動ローラ２２を通すローラ通路２６を画定する制動面２４−１を有する。制動面２４−１は、制動ローラ２２に係合するようにされており、ローラ通路２６のレール４との間の間隔を狭くする狭窄部分２４−２と、該狭窄部分２４−２から開扉方向側Ａに延びるに従ってレール４との間の間隔を次第に大きくする開扉側傾斜部分２４−３及び狭窄部分２４−２から閉扉方向側Ｂに延びるに従って同間隔を次第に大きくする閉扉側傾斜部分２４−４を有する。制動部材２４は、図３に示すように、開扉・閉扉方向で間隔を開けて設けられた一対の逆Ｌ字状の開口２４−５を有しており、各開口２４−５には、後述するように、支持フレーム２０の側壁２０−１間で上下方向での位置が調節可能なピン３０が通されている。各開口２４−５は閉扉側部分２４−５Ｂと開扉側部分２４−５Ａとを有し、開扉側部分２４−５Ａにはレール４に向けて延びる延長部分２４−５Ｃが設けられ、制動部材２４は、開口２４−５の閉扉側端部２４−６がピン３０に略当接する開扉側位置（図３）と、開口２４−５の開扉側端部２４−７がピン３０に略当接する閉扉側位置（図４）との間で支持フレーム２０に対して相対的に変位可能であり、閉扉側位置にあるときには、延長部分２４−５Ｃがピン３０を収納して当該制動部材２４がレール４から離れる方向に変位可能とされている。支持フレーム２０は板バネ２９を備えており、該板バネ２９は制動部材２４を図３に示す開扉側位置に向けて付勢するようになっている。
【００２２】
制動ローラ２２は、引戸３が閉扉位置にあるときには、図５に示すように、開扉側位置にある制動部材２４の開扉側傾斜面２４−３に係合する位置にある。この状態で、引戸３が開扉方向Ａに動かされると、開扉側傾斜面２４−３に係合している制動ローラ２２はレール４上を転動しながら狭窄部分２４−２に向かい、板バネ２９の付勢力に抗して制動部材２４を閉扉方向に変位させて図４に示す開扉側位置とし、当該制動ローラ２２が更にレール４上を転動して開扉方向Ａに動かされて狭窄部２４‐２に向かうことにより、制動部材２４をレール４から離れる方向で変位させ（すなわち閉扉側位置にある制動部材２４の開口２４−５の開扉側部分２４−５Ａの延長部分２４−５Ｃがピン３０と係合するようになし）、それにより拡大された狭窄部分２４−２とレール４との間のローラ通路２６を通り、制動部材２４の閉扉側傾斜面２４−４に係合する位置となり、それにより制動部材２４が板バネ２９により前記開扉側位置（図３）に変位されるようにする。
【００２３】
このようにして開扉された引戸３が閉扉方向Ｂに動かされるときはレール４上を転動しながら狭窄部分２４−２に向かうようになされるが、この場合、ピン３０は開口２４−５の閉扉側部分２４−５Ｂと係合しているために、制動部材２４がレール４から離れる方向で変位するのは制限され、制動部材２４の狭窄部分２４−２とレール４との間のローラ通路２６の間隔は大きくならず、制動ローラ２２は制動部材２４とレール４との間に大きな摩擦力を受け回転が停止され、それにより引戸の閉扉方向での動きが停止され、引戸は実質的に開扉された位置に保持される。このようにして停止された引戸に手で閉扉方向への力を加えると、制動ローラ２２は大きく変形しながら制動部材２４の狭窄部分２４−２とレール４との間を通り、開扉側傾斜面２４−３に係合するようになり、制動部材２４は図５に示される位置となる。
【００２４】
ピン３０を上下方向で位置調節するには次のような調節部材３４である。すなわち、この調節部材３４は、図２に示すように、一対の側壁３４−１と両側壁を連結する頂壁３４−２とを有する全体として逆Ｕ字状にされており、図３に示すように、頂壁３４−２には支持フレーム２０の頂壁２０−３に上下方向で延びる軸線の周りで回転可能とされた調節シャフト３６のネジ部３６−１が貫通して螺合されており、調節シャフト３６の上端に取り付けられたノブ３６−２を回転することにより、ネジ部３６−１に沿って上下動するようになっている。ピン３０の両端は支持フレーム２０の両側壁２０−１に設けた上下方向に延びるスロット２０−４内に摺動可能に収納されており、該スロット２０−４によって上下方向でガイドされるようになっている。
【００２５】
上述のように、本発明に係る引戸任意開扉位置停止装置１０は、上述のような、閉扉しようとする引戸に対して制動を行う閉扉制動装置１４の制動作用を解除するための制動解除装置１６を備えている。この制動解除装置１６は、閉扉制動装置１４の支持フレーム２０の第１枢軸線１８に対して平行にされ引戸３に対して静止位置とされた第２枢軸線４０の周りで枢動可能とされた制動解除部材４２を有する。制動解除部材４２は、第２枢軸線４０から放射線方向に延びる係止突起４４と保持突起４６とを有し、係止突起４４は、第１枢軸線１８と第２枢軸線４０との間で閉扉制動装置１４の支持フレーム２０に形成された係止凹部２０−５と係合して閉扉制動装置１４を上述した閉扉制動作用を行う作動位置に保持すると共に、図６及び図７に示すように、当該制動解除部材４２が第２枢軸線４０の周りで時計方向に枢動することにより閉扉制動装置１４を、第１枢軸線１８の周りで反時計方向に枢動して上述の制動作用が出来なくなる作動不能位置に向けて枢動させる。すなわち、閉扉制動装置１４の支持フレーム２０が反時計方向で回動されると、制動部材２４が該支持フレーム２０と共に第１枢軸線１８の周りで枢動されてレール４から離れる方向で変位され、これにより、制動部材２４の制動面２４‐１とレール４との間のローラ通過路２６の幅が拡張され、上述した制動面２４‐１とレール４とによる制動ローラ２２への制動作用は低減若しくは無くなるようにされて、引戸３はそれに加わる閉扉方向Ｂでの力により自動的に閉扉するようになる。保持突起４６は、閉扉制動装置１４が係止突起４４により枢動されたときに閉扉制動装置１４に係合して上述したような作動不能位置（図７）に保持する。好ましくは、閉扉制動装置１４の支持フレーム２０の係止凹部２０−５は、第１枢軸線１８を中心とする第１の仮想歯車の１つの歯溝の形状を有し、制動解除部材４２の係止突起４４は、第１の仮想歯車に噛合する、第２の枢軸線４０を中心とする第２の仮想歯車の１つの歯の形状を有するようにされる。
【００２６】
制動解除装置１６は、制動解除部材４２に係合し係止突起４４が閉扉制動装置１４の支持フレーム２０に係合して閉扉制動装置１４を作動位置に維持するとともに、制動解除部材４２との係合を解除して、閉扉制動装置１４が作動不能位置に動かされるようにする制動解除起動装置５０を更に有する。図示の実施形態では、制動解除起動装置５０は、制動解除部材４２に係合して、係止突起４４が閉扉制動装置１４の支持フレーム２０に係合して閉扉制動装置１４を作動位置に維持する係止部材５２と、火災警報信号などの外部からの信号を受けて係止部材５２を変位して制動解除部材４２との係合を解除し、制動解除部材４２が第２枢軸線４０の周りで巻かれたバネ５４により第２枢軸線４０の周りを時計方向に回動されるようにするソレノイド装置５６とを有する。
【００２７】
係止部材５２は、図示の実施形態では、第１枢軸線１８に平行で引戸３に対して静止位置とされた第３枢軸線５８の周りで回動可能とされたレバーとされ、該レバーの一端には第３枢軸線５８と平行なピン６０が設けられ、該ピン６０の周りで回転可能とされた中空パイプ６２が制動解除部材４２の係止凹部６４に係止され、他端がソレノイド装置５６に接続され、ソレノイド装置５６が外部からの信号を受けた場合に該ソレノイド装置５６によって第３枢軸線５８の周りで駆動され、レバーの上記一端に設けられた中空パイプ６２が制動解除部材４２の係止凹部６４から外されるようにされている。この回転可能な中空パイプ６２を設けたのは、係止凹部６４との摩擦を少なくして該係止凹部６４から外し易くし、ソレノイド装置５６が小さな力で係止部材（レバー）５２を動かすことができるようにするためである。
【００２８】
第２枢軸線４０の周りには制動解除部材４２と一緒に枢動するスイッチ作動突起６８が設けられており、ソレノイド装置が作動して制動解除部材４２の係止突起４４が閉扉制動装置の支持フレーム２０から外れ、支持フレーム２０が反時計方向に回動され、保持突起４６が該保持フレーム２０に係合したしたときに、該スイッチ作動突起６８が固定フレーム１２に固定されたリミットスイッチ７０に係合して、ソレノイド装置５６の作動を停止する。ソレノイド装置５６の作動停止により、係止部材５２は、軸線５８の周りに巻かれた捻りバネ７２によって反時計方向に戻されるが、制動解除部材４２はバネ５４により回動した位置に保持される。
【００２９】
以上、本発明に係る引戸任意開扉位置停止装置の実施形態を説明したが、本発明はこの実施形態に限定されるものではない。例えば、図示の制動ローラ２２はレール４と係合するものとして示されたが、前述の特許文献２に開示されたように戸車と係合するようにすることも可能である。また、制動解除部材４２は手動で回動することができるようにすることも出来る。その他種々の変更が可能である。
【符号の説明】
【００３０】
戸枠２；引戸３；レール４、戸車５：戸車取付部材６；ビス７；引戸任意開扉位置停止装置１０；固定フレーム１２；側壁１２−１；閉扉制動装置１４；制動解除装置１６；第１枢軸線１８；支持フレーム２０；側壁２０−１；回転シャフト収納溝２０−２；頂壁２０−３；スロット２０−４；係止凹部２０−５；制動ローラ２２；回転シャフト２２−１；弾性ローラ２２−２；取付ローラ２２−３；（第４）枢軸線２２−４；制動部材２４；制動面２４−１；狭窄部分２４−２；閉扉側傾斜部分２４−３；開扉側傾斜部分２４−４；開口２４−５；開扉側部分２４−５Ａ；閉扉側部分２４−５Ｂ；延長部分２４−５Ｃ；開扉側端部２４−６；閉扉側端部２４−７；ローラ通路２６；ピン３０；板バネ２９；調節部材３４；側壁３４−１；頂壁３４−２；調節シャフト３６；ネジ部３６−１；ノブ３６−２；第２枢軸線４０；制動解除部材４２；係止突起４４；保持突起４６；制動解除起動装置５０；係止部材５２；バネ５４；ソレノイド装置５６；第３枢軸線５８；ピン６０；中空パイプ６２；係止凹部６４；スイッチ作動突起６８；リミットスイッチ７０；閉扉方向側Ａ；開扉方向Ｂ
【図１】
2016075142.tif 000003
【図２】
2016075142.tif 000004
【図３】
2016075142.tif 000005
【図４】
2016075142.tif 000006
【図５】
2016075142.tif 000007
【図６】
2016075142.tif 000008
【図７】
2016075142.tif 000009